(57)【要約】【課題】端子の最大挿入力を低減することにより端子挿入力を低減することが可能な多接点型雄端子を提供する。【解決手段】撓み変形可能な複数の弾性接触片を備えこれら複数の弾性接触片の接点が幅方向に並んで多接点を形成する多接点型雌端子の複数の接点に接触する平板状のタブ３１を有する多接点型雄端子３０であって、タブ３１の幅方向に異なる部分の先端が長さ方向にずれて位置している、多接点型雄端子３０。【選択図】図１
2015018630.tif 000002
【特許請求の範囲】
【請求項１】
撓み変形可能な複数の弾性接触片を備えこれら複数の弾性接触片の接点が幅方向に並んで多接点を形成する多接点型雌端子の複数の接点に接触する平板状のタブを有する多接点型雄端子であって、前記タブの幅方向に異なる部分の先端が長さ方向にずれて位置していることを特徴とする多接点型雄端子。
【請求項２】
前記タブの先端には先端に向けて次第に厚みが薄くなる傾斜面が形成され、先端が長さ方向の後端側にずれて位置している部分の先端位置が、先端が長さ方向の先端側にずれて位置している部分の傾斜面から平坦面に移行する境界位置よりも長さ方向の後端側に配置されていることを特徴とする請求項１に記載の多接点型雄端子。
【請求項３】
幅方向の中央を通る中心線に対して対称となる位置にある部分同士の先端位置が長さ方向で同じであることを特徴とする請求項１または２に記載の多接点型雄端子。
【請求項４】
幅方向の両外側に位置する部分の先端位置がその間に位置する部分の先端位置よりも長さ方向の先端側に配置されていることを特徴とする請求項３に記載の多接点型雄端子。
【請求項５】
幅方向の両外側に位置する部分の先端位置がその間に位置する部分の先端位置よりも長さ方向の後端側に配置されていることを特徴とする請求項３に記載の多接点型雄端子。
【請求項６】
幅方向の中央を通る中心線に対して対称となる位置にある部分同士の先端位置が長さ方向で異なることを特徴とする請求項１または２に記載の多接点型雄端子。
【発明の詳細な説明】
【技術分野】
【０００１】
本発明は、多接点型雄端子に関し、さらに詳しくは、複数の弾性接触片を備えた多接点型雌端子の複数の接点と接触して多接点が形成される平板状のタブを備えた多接点型雄端子に関するものである。
【背景技術】
【０００２】
複数の弾性接触片を備えた多接点型雌端子の複数の接点と接触して多接点が形成される平板状のタブを備えた多接点型雄端子が知られている（特許文献１）。図８に示すように、多接点型雄端子９０は等幅の舌片状をなすタブ９１が延出形成された形状をしている。そして、多接点型雄端子９０と組み合わされる多接点型雌端子は、ルーバー型の複数の弾性接触片を備えている。
【先行技術文献】
【特許文献】
【０００３】
【特許文献１】特開２０１１−２２２２６３号公報
【発明の概要】
【発明が解決しようとする課題】
【０００４】
多接点型雄端子９０のタブ９１の先端には先端に向けて次第に厚みが薄くなる傾斜面９６が形成されている。多接点型雌端子の接点がこの傾斜面９６から平坦面９８に移行する境界位置１００を乗り越えるときに多接点型雌端子の接点にかかる荷重は最大となる。複数の弾性接触片の各接点位置が長さ方向の同一位置にあると、各接点が同時に多接点型雄端子９０の境界位置１００を乗り越えるため、多接点型雌端子の接点にかかる荷重が最大となる時が全ての接点で一緒となり、端子の最大挿入力が高くなるという問題があった。
【０００５】
本発明の解決しようとする課題は、端子の最大挿入力を低減することにより端子挿入力を低減する多接点型雄端子を提供することにある。
【課題を解決するための手段】
【０００６】
上記課題を解決するため本発明に係る多接点型雄端子は、撓み変形可能な複数の弾性接触片を備えこれら複数の弾性接触片の接点が幅方向に並んで多接点を形成する多接点型雌端子の複数の接点に接触する平板状のタブを有する多接点型雄端子であって、前記タブの幅方向に異なる部分の先端が長さ方向にずれて位置していることを要旨とするものである。
【０００７】
この場合、前記タブの先端には先端に向けて次第に厚みが薄くなる傾斜面が形成され、先端が長さ方向の後端側にずれて位置している部分の先端位置が、先端が長さ方向の先端側にずれて位置している部分の傾斜面から平坦面に移行する境界位置よりも長さ方向の後端側に配置されていることが好ましい。
【０００８】
そして、幅方向の中央を通る中心線に対して対称となる位置にある部分同士の先端位置が長さ方向で同じであることが好ましい。
【０００９】
このとき、幅方向の両外側に位置する部分の先端位置がその間に位置する部分の先端位置よりも長さ方向の先端側に配置されていることが好ましい。
【００１０】
本発明に係る多接点型雄端子は、幅方向の中央を通る中心線に対して対称となる位置にある部分同士の先端位置が長さ方向で異なっていてもよい。また、幅方向の両外側に位置する部分の先端位置がその間に位置する部分の先端位置よりも長さ方向の後端側に配置されていてもよい。
【発明の効果】
【００１１】
本発明に係る多接点型雄端子によれば、タブの幅方向に異なる部分の先端が長さ方向にずれて位置しており、先端が長さ方向の先端側に位置する部分と長さ方向の後端側に位置する部分とでは、多接点型雌端子の複数の接点に接触するタイミングがずれる。すると、多接点型雌端子の複数の接点が同時に多接点型雄端子のタブの先端を乗り越えるものとはならないので、接点にかかる荷重が最大となる時が全ての接点で一緒とはならず、これにより端子の最大挿入力を従来よりも低減することができる。また、タブの先端が長さ方向の後端側に位置する部分では、多接点型雌端子の接点がタブを摺動する距離が短くなるため、多接点型雌端子の接点の摩耗量を低減でき、接続信頼性を維持できる。そして、端子接点数や接触面積を何ら変更するものではないため、接触に影響を与えるものではない。
【００１２】
この場合、前記タブの先端には先端に向けて次第に厚みが薄くなる傾斜面が形成され、先端が長さ方向の後端側にずれて位置している部分の先端位置が、先端が長さ方向の先端側にずれて位置している部分の傾斜面から平坦面に移行する境界位置よりも長さ方向の後端側に配置されていると、先端が長さ方向の先端側にずれて位置している部分の境界位置を乗り越えるときに多接点型雌端子の接点にかかる荷重が最大となる時を過ぎてから、先端が長さ方向の後端側にずれて位置している部分の境界位置を他の接点が乗り越えるため、端子の最大挿入力を低減する効果が高い。
【００１３】
そして、幅方向の中央を通る中心線に対して対称となる位置にある部分同士の先端位置が長さ方向で同じであると、多接点型雄端子のタブを多接点型雌端子に挿入したときにモーメントの発生が抑えられる。これにより、多接点型雄端子のタブをスムーズに挿入できる。
【００１４】
このとき、幅方向の両外側に位置する部分の先端位置がその間に位置する部分の先端位置よりも長さ方向の先端側に配置されていると、幅方向の両外側に位置する部分が先に多接点型雌端子の接点に接触するので、多接点型雄端子のタブの挿入時におけるモーメントの発生を抑える効果がより高まる。
【図面の簡単な説明】
【００１５】
【図１】本発明の一実施形態に係る多接点型雄端子の平面図である。
【図２】多接点型雄端子と組み合わされる多接点型雌端子の一例であり、平面図（ａ）とそのＡ−Ａ線断面図（ｂ）である。
【図３】多接点型雌端子に多接点型雄端子を挿入する挿入過程を示した状態図である。
【図４】多接点型雌端子に多接点型雄端子を挿入する挿入過程を示した状態図であり、図３のＢ−Ｂ線断面図である。
【図５】多接点型雄端子の挿入距離と多接点型雌端子の接点にかかる荷重の関係を示したグラフである。
【図６】他の実施形態に係る多接点型雄端子の平面図である。
【図７】他の実施形態に係る多接点型雄端子の平面図である。
【図８】一例として挙げられる多接点型雄端子の平面図である。
【発明を実施するための形態】
【００１６】
次に、本発明の実施形態について詳細に説明する。
【００１７】
図２は、本発明に係る多接点型雄端子と組み合わせて用いられる多接点型雌端子の一例を示したものである。多接点型雌端子１０は、多接点型雄端子の平板状のタブが挿入接続される端子接続部１２と、電線端末の電線導体が接続される電線接続部（図示せず）と、を有している。
【００１８】
端子接続部１２は、多接点型雄端子の平板状のタブが挿入される挿入口となる開口部１２ａを先端側に有し、多接点型雄端子の挿入方向両端が開口する角筒状の外形をしている。端子接続部１２の左右面には相対する一対の側壁１６ａ，１６ｂを有し、上下面には相対する一対の側壁１８ａ，１８ｂを有する。上下方向に相対する一対の側壁１８ａ，１８ｂのそれぞれには、基端側に片持ち支持されて多接点型雄端子の挿入方向先端側に延びる複数の弾性接触片２０が切り欠き形成されている。幅方向に隣接する弾性接触片２０間には隙間が設けられており、弾性接触片２０の片持ち支持される基端を支点にして複数の弾性接触片２０は互いに別個独立に上下方向に撓み変形する。
【００１９】
上面側の各弾性接触片２０はその基端を起点にして下方に向かって傾斜し、その先端が端子接続部１２の内部に向かっている。その先端は上方に折り返されており、その湾曲面が弾性接触片２０の最下部となり、多接点型雄端子のタブの平板面（上面）と接触する接点２２となる。同様に、下面側の各弾性接触片２０はその基端を起点にして上方に向かって傾斜し、その先端が端子接続部１２の内部に向かっている。その先端は下方に折り返されており、その湾曲面が弾性接触片２０の最上部となり、多接点型雄端子のタブの平板面（下面）と接触する接点２２となる。
【００２０】
上下方向では上面側の各弾性接触片２０と下面側の各弾性接触片２０とがそれぞれ相対しており、上面側の各弾性接触片２０と下面側の各弾性接触片２０との間を通り左右方向および前後方向に延びる平面を対称面として上面側の各弾性接触片２０と下面側の各弾性接触片２０とが面対称に配置されている。多接点型雄端子の平板状のタブは、相対する上面側の弾性接触片２０と下面側の弾性接触片２０との間に挿入される。よって、相対する上面側の弾性接触片２０と下面側の弾性接触片２０の離間距離は、平板状のタブの板厚寸法よりも小さく設定されている。幅方向に並ぶ複数の弾性接触片２０の長さは同じであり、これら複数の弾性接触片２０の接点２２が長さ方向の同一位置で幅方向に並んで多接点を形成している。
【００２１】
図１は、本発明の一実施形態に係る多接点型雄端子３０を示したものである。多接点型雄端子３０は、銅、銅合金、アルミニウム、アルミニウム合金などの導電性金属よりなる板状の母材あるいは母材に必要に応じて所定の金属層が形成されたものをプレス加工或いは切削加工することによって形成されたものである。
【００２２】
タブ３１の基端側には、機器側のバスバーなどとボルトによって締結するための孔３２が開口形成されている。そして、タブ３１の先端側には、接続の相手側となる多接点型雌端子１０の接点２２を多接点型雄端子３０の接点３４に誘い込む傾斜面３６ａ〜３６ｃが、タブ３１の先端に向けて次第に厚みが薄くなるように形成されている。
【００２３】
タブ３１の先端側に形成された傾斜面３６ａ〜３６ｃの基端側端縁よりも基端側には長さ方向に板厚が均一となる平坦面３８ａ〜３８ｃが続いている。この平坦面３８ａ〜３８ｃの基端側奥には、多接点型雌端子１０の接点２２と接触して電気的導通が図られる接点３４が形成されている。多接点型雌端子１０の接点２２は、この平坦面３８ａ〜３８ｃを摺動して多接点型雄端子３０の接点３４と接触する。
【００２４】
多接点型雄端子３０と組み合わされる多接点型雌端子１０は、弾性接触片２０が幅方向に４つ並んでおり、幅方向に４つの接点２２が並ぶ。このような多接点型雌端子１０と組み合わされる多接点型雄端子３０のタブ３１は、多接点型雌端子１０の幅方向に並ぶ４つの接点２２にそれぞれ対応する４つの部分（３０ａ〜３０ｄ）に分けられる。幅方向の両外側に位置する部分３０ａ，３０ｂは、それぞれ多接点型雌端子１０の幅方向に並ぶ接点２２の１つに対応する部分であり、その間に位置する部分３０ｃ，３０ｄは、多接点型雌端子１０の幅方向に並ぶ接点２２の２つに対応する部分である。
【００２５】
そして、多接点型雄端子３０は、タブ３１の幅方向に異なる部分の先端が長さ方向にずれて位置している。具体的には、幅方向の両外側に位置する部分３０ａ，３０ｂの先端位置がその間に位置する部分３０ｃ，３０ｄの先端位置よりも長さ方向の先端側に配置されている。
【００２６】
幅方向の両外側に位置する部分３０ａ，３０ｂ同士は、幅方向の中央を通る中心線に対して対称となる位置にある部分同士であり、これらの先端位置が長さ方向で同じになっている。また、両外側に位置する部分３０ａ，３０ｂの間に位置する部分３０ｃ，３０ｄは先端位置が長さ方向で同じになっている。そして、多接点型雄端子３０は、幅方向の中央を通る中心線に対して対称な形状となっており、幅方向の中央を通る中心線に対して対称となる位置にある部分同士の先端位置が長さ方向で同じになっている。
【００２７】
幅方向の両外側に位置する部分３０ａ，３０ｂの間に位置する部分３０ｃ，３０ｄは先端が長さ方向の後端側にずれて位置している部分であるが、この部分の先端位置は、両外側に位置する部分３０ａ，３０ｂの傾斜面３６ａ，３６ｂから平坦面３８ａ，３８ｂに移行する境界位置４０ａ，４０ｂよりも長さ方向の後端側に配置されている。
【００２８】
次に、多接点型雄端子３０の作用について説明する。図３は、多接点型雌端子１０に多接点型雄端子３０を挿入する挿入過程を示した状態図である。図４は、多接点型雌端子１０に多接点型雄端子３０を挿入する挿入過程を示した状態図であり、図３のＢ−Ｂ線断面図である。図５は、多接点型雄端子３０の挿入距離と多接点型雌端子１０の接点２２にかかる荷重の関係を示したグラフである。
【００２９】
多接点型雌端子１０に多接点型雄端子３０が挿入されると、多接点型雌端子１０の複数の接点２２は長さ方向の同一位置で幅方向に並んでいるので、多接点型雄端子３０のタブ３１のうち先端が長さ方向の先端側にずれて位置している部分３０ａ，３０ｂの先端が先に多接点型雌端子１０の接点２２に接触する（図３（ｂ）、図４（ｂ））。多接点型雌端子１０の接点２２は多接点型雄端子３０の先端の傾斜面３６ａ，３６ｂを上がり、傾斜面３６ａ，３６ｂと平坦面３８ａ，３８ｂの境界４０ａ，４０ｂを乗り越え、平坦面３８ａ，３８ｂに至る。続いて、先端が長さ方向の後端側にずれて位置している部分３０ｃ，３０ｄの先端が多接点型雌端子１０の接点２２に接触する（図３（ｃ）、図４（ｃ））。同じく、多接点型雌端子１０の接点２２は多接点型雄端子３０の先端の傾斜面３６ｃを上がり、傾斜面３６ｃと平坦面３８ｃの境界４０ｃを乗り越え、平坦面３８ｃに至る。さらに奥に挿入されると、多接点型雌端子１０の接点２２は平坦面３８ａ〜３８ｃを摺動し、多接点型雄端子３０の接点３４に接触する（図３（ｄ）、図４（ｄ））。
【００３０】
図５に示すように、多接点型雌端子１０の接点２２にかかる荷重は、多接点型雌端子１０の接点２２が多接点型雄端子３０の先端の傾斜面３６ａ〜３６ｃに接触後、傾斜面３６ａ〜３６ｃを上がるにしたがい徐々に上昇し、傾斜面３６ａ〜３６ｃと平坦面３８ａ〜３８ｃの境界４０ａ〜４０ｃを乗り越えるときに最大となる。多接点型雄端子３０では、タブ３１の幅方向に異なる部分の先端が長さ方向にずれて位置しており、タブ３１の先端が長さ方向の先端側に位置する部分３０ａ，３０ｂと長さ方向の後端側に位置する部分３０ｃ，３０ｄとでは、多接点型雌端子１０の長さ方向の同一位置に並ぶ複数の接点２２に接触するタイミングがずれる。多接点型雌端子１０の複数の接点２２が同時に多接点型雄端子３０のタブ３１の先端にある傾斜面３６ａ〜３６ｃと平坦面３８ａ〜３８ｃの境界４０ａ〜４０ｃを乗り越えるものとはならないので、接点２２にかかる荷重が最大となる時が全ての接点で一緒とはならず、端子挿入力のピークが分散される。つまり、多接点型雄端子３０の端子挿入力は、図５の実線で示されるグラフのような曲線となる。
【００３１】
これに対し、多接点型雄端子が、図８に示すように、タブの幅方向に異なる部分の先端が長さ方向に同一位置にあるタブ９１を有する多接点型雄端子９０であると、多接点型雌端子１０の複数の接点２２が同時に多接点型雄端子９０のタブ９１の先端にある傾斜面９６と平坦面９８の境界位置１００を乗り越えることとなり、多接点型雌端子１０の接点２２にかかる荷重が最大となる時が全ての接点２２で一緒となって、端子挿入力のピークは１つとなる。つまり、多接点型雄端子９０の端子挿入力は、図５の破線で示されるグラフのような曲線となる。
【００３２】
本発明に係る多接点型雄端子３０によれば、端子挿入力のピークが分散されるため、端子の最大挿入力を従来よりも低減することができる。なお、多接点型雌端子１０の接点２２が多接点型雄端子３０のタブ３１の平坦面３８ａ〜３８ｃを摺動するときには、多接点型雄端子９０のタブ９１の平坦面９８を摺動するときと、多接点型雌端子１０の接点２２の数および接触面積が同じとなるため、多接点型雌端子１０の接点２２が境界位置４０ａ〜４０ｃを乗り越えた後の多接点型雄端子３０の端子挿入力は、多接点型雌端子１０の接点２２が境界位置１００を乗り越えた後の多接点型雄端子９０の端子挿入力と同じになる。
【００３３】
そして、本発明に係る多接点型雄端子３０では、タブ３１の先端が長さ方向の後端側に位置する部分３０ｃ，３０ｄでは、多接点型雌端子１０の接点２２がタブ３１を摺動する距離が短くなるため、多接点型雌端子１０の接点２２の摩耗量を低減でき、接続信頼性を維持できる。また、このような構成であっても、多接点型雌端子１０の接点２２が多接点型雄端子３０の接点３４と接触するときには多接点型雄端子９０と比べて接点数および接触面積が異なるものではないため、接触に影響を与えるものではない。
【００３４】
また、多接点型雄端子３０では、先端が長さ方向の後端側にずれて位置している部分３０ｃ，３０ｄの先端位置が、先端が長さ方向の先端側にずれて位置している部分３０ａ，３０ｂの傾斜面３６ａ，３６ｂから平坦面３８ａ，３８ｂに移行する境界位置４０ａ，４０ｂよりも長さ方向の後端側に配置されているため、先端が長さ方向の先端側にずれて位置している部分３０ａ，３０ｂの境界位置４０ａ，４０ｂを乗り越えるときの多接点型雌端子１０の接点２２にかかる荷重が最大となる時を過ぎてから、先端が長さ方向の後端側にずれて位置している部分３０ｃ，３０ｄの境界位置４０ｃを他の接点２２が乗り越えるため、端子の最大挿入力を低減する効果が高い。
【００３５】
そして、多接点型雄端子３０では、幅方向の中央を通る中心線に対して対称となる位置にある部分同士の先端位置が長さ方向で同じであるため、多接点型雄端子３０のタブ３１を多接点型雌端子１０に挿入したときにモーメントの発生が抑えられる。これにより、多接点型雄端子３０のタブ３１をスムーズに挿入できる。また、幅方向の両外側に位置する部分３０ａ，３０ｂの先端位置がその間に位置する部分３０ｃ，３０ｄの先端位置よりも長さ方向の先端側に配置されているため、幅方向の両外側に位置する部分３０ａ，３０ｂが先に多接点型雌端子１０の接点に接触するので、多接点型雄端子３０のタブ３１の挿入時におけるモーメントの発生を抑える効果がより高まる。
【００３６】
このような多接点型雄端子３０と多接点型雌端子１０により、端子の最大挿入力を低減して端子挿入力を低減することができる端子対を形成することができる。
【００３７】
次に、他の実施形態に係る多接点型雄端子について説明する。
【００３８】
図６に示す多接点型雄端子５０も、多接点型雌端子１０と組み合わせられて、端子の最大挿入力を低減して端子挿入力を低減することができる端子対を形成することができる。多接点型雄端子５０のタブ５１は、多接点型雌端子１０の幅方向に並ぶ４つの接点２２にそれぞれ対応する４つの部分（５０ａ〜５０ｄ）に分けられる。幅方向の両外側に位置する部分５０ａ，５０ｂは、それぞれ多接点型雌端子１０の幅方向に並ぶ接点２２の１つに対応する部分であり、その間に位置する部分５０ｃ，５０ｄは、多接点型雌端子１０の幅方向に並ぶ接点２２の２つに対応する部分である。
【００３９】
多接点型雄端子５０は、タブ５１の幅方向に異なる部分の先端が長さ方向にずれて位置していることでは図１に示す多接点型雄端子３０と同じである。具体的には、幅方向の両外側に位置する部分５０ａ，５０ｂの先端位置がその間に位置する部分５０ｃ，５０ｄの先端位置よりも長さ方向の後端側に配置されている。
【００４０】
そして、幅方向の両外側に位置する部分５０ａ，５０ｂ同士は、幅方向の中央を通る中心線に対して対称となる位置にある部分同士であり、これらの先端位置が長さ方向で同じになっている。また、これらの間に位置する部分５０ｃ，５０ｄ同士は先端位置が長さ方向で同じになっている。つまり、多接点型雄端子５０は、幅方向の中央を通る中心線に対して対称な形状となっており、幅方向の中央を通る中心線に対して対称となる位置にある部分同士の先端位置が長さ方向で同じになっている。
【００４１】
両外側に位置する部分５０ａ，５０ｂは先端が長さ方向の後端側にずれて位置している部分であるが、この部分の先端位置は、先端が長さ方向の先端側にずれて位置している部分５０ｃ，５０ｄの傾斜面５６ｃから平坦面５８ｃに移行する境界位置６０ｃよりも長さ方向の後端側に配置されている。なお、両外側に位置する部分５０ａ，５０ｂにも、傾斜面５６ａ，５６ｂ、平坦面５８ａ，５８ｂ、境界位置６０ａ，６０ｂがそれぞれ形成されている。そして、平坦面５８ａ〜５８ｃの基端側奥には、多接点型雌端子１０の接点２２と接触して電気的導通が図られる接点５４が形成されている。
【００４２】
図７に示す多接点型雄端子７０もまた、多接点型雌端子１０と組み合わせられて、端子の最大挿入力を低減して端子挿入力を低減することができる端子対を形成することができる。多接点型雄端子７０のタブ７１は、多接点型雌端子１０の幅方向に並ぶ４つの接点２２にそれぞれ対応する４つの部分（７０ａ〜７０ｄ）に分けられる。幅方向の中央を通る中心線よりも幅方向の一方側に位置する部分７０ａ，７０ｂは、多接点型雌端子１０の幅方向に並ぶ接点２２の２つに対応する部分であり、他方側に位置する部分７０ｃ，７０ｄも、多接点型雌端子１０の幅方向に並ぶ接点２２の２つに対応する部分である。
【００４３】
多接点型雄端子７０は、タブ７１の幅方向に異なる部分の先端が長さ方向にずれて位置していることでは図１に示す多接点型雄端子３０と同じである。具体的には、幅方向の中央を通る中心線よりも幅方向の一方側に位置する部分７０ａ，７０ｂの先端位置が他方側に位置する部分７０ｃ，７０ｄの先端位置よりも長さ方向の後端側に配置されている。幅方向の一方側に位置する部分７０ａ，７０ｂ同士は先端位置が長さ方向で同じになっている。また、幅方向の他方側に位置する部分７０ｃ，７０ｄ同士も先端位置が長さ方向で同じになっている。
【００４４】
そして、多接点型雄端子７０は、幅方向の中央を通る中心線に対して対称となる位置にある部分同士の先端位置が長さ方向で異なっている。つまり、多接点型雄端子７０は、幅方向の中央を通る中心線に対して非対称な形状となっている。
【００４５】
幅方向の一方側に位置する部分７０ａ，７０ｂは先端が長さ方向の後端側にずれて位置している部分であるが、この部分の先端位置は、先端が長さ方向の先端側にずれて位置している部分７０ｃ，７０ｄの傾斜面７６ｃから平坦面７８ｃに移行する境界位置８０ｃよりも長さ方向の後端側に配置されている。なお、幅方向の一方側に位置する部分７０ａ，７０ｂにも、傾斜面７６ａ、平坦面７８ａ、境界位置８０ａがそれぞれ形成されている。そして、平坦面７８ａ〜７８ｃの基端側奥には、多接点型雌端子１０の接点２２と接触して電気的導通が図られる接点７４が形成されている。
【００４６】
以上、本発明の実施の形態について詳細に説明したが、本発明は上記実施の形態に何ら限定されるものではなく、本発明の要旨を逸脱しない範囲で種々の改変が可能である。
【００４７】
例えば上記実施形態において、本発明に係る多接点型雄端子のタブは、多接点型雌端子１０の幅方向に並ぶ４つの接点２２にそれぞれ対応する４つの部分に分けられているが、本発明に係る多接点型雄端子のタブは、組み合わせられる多接点型雌端子の幅方向に並ぶ接点の数に合わせて複数の部分に分けられればよい。また、上記実施形態において、本発明に係る多接点型雄端子の先端には傾斜面が形成されているが、本発明に係る多接点型雄端子としては、先端に傾斜面が形成されていないものであってもよい。また、多接点型雌端子１０の弾性接触片は片持ち支持されているが、先端側および基端側の両方が支持されている両持ち支持されていてもよい。また、上記実施形態における多接点型雄端子は、機器とボルトで締結する形式であるが、他の手法により、電線と接続する形態でもよい（例えば、バレルを備えることによる圧着や溶接等）。また、多接点型雌端子の接点は長さ方向の同一位置にあるが、多接点型雄端子の幅方向に異なる部分の先端が長さ方向にずれて位置しているタブの先端が多接点型雌端子の複数の接点に接触するタイミングがずれるものであれば、長手方向に同一位置になくてもよい。
【符号の説明】
【００４８】
１０  多接点型雌端子
１２  端子接続部
２０  弾性接触片
２２  多接点型雌端子の接点
３０  多接点型雄端子
３１  多接点型雄端子のタブ
３４  多接点型雄端子の接点
【図１】
2015018630.tif 000003
【図２】
2015018630.tif 000004
【図３】
2015018630.tif 000005
【図４】
2015018630.tif 000006
【図５】
2015018630.tif 000007
【図６】
2015018630.tif 000008
【図７】
2015018630.tif 000009
【図８】
2015018630.tif 000010